(57)【要約】【課題】  簡単且つ正確に位置決めできるタイヤ取外しインサートを提供する。【解決手段】  タイヤをリム（２）から取り外すよう設計された装置であって、リムのシート（21）のうち少なくとも１つが外方へ傾斜し、装置は、３つのフェースを備えた長さ（Ｌ）のインサート（４）の形態をしており、その横断面は輪郭が２つの長辺（41，42）及び短辺（43）で形成された全体として三角形であり、長辺のなす角度はリムシートと回転軸線のなす角度に近く、短辺の長さは外方へ傾斜したリムシートの突出部の高さに本質的に等しく、インサートはビードシート（11）に接触するようになったそのフェースに少なくとも１つのレリーフ（421,422 ）を有し、レリーフは、インサートをビードと係合した状態に保つようビードシートと相互作用するよう設計されている装置。【選択図】      図４
2006015999.tif 000002
【特許請求の範囲】
【請求項１】
タイヤをリム（２）から取り外すよう設計された装置であって、リムの少なくとも１つのシート（２１）は、外方へ傾斜し、このシートは、僅かな高さの突出部（２２）を外部に向かって軸方向に備え、前記装置は、３つの主要フェースを備えた長さ（Ｌ）のインサート（４）の形態をしており、インサートの横断面は、輪郭が２つの長辺（４１，４２）及び１つの短辺（４３）で形成された全体として三角形であり、長辺のなす角度は、リムシートと回転軸線とのなす角度に近く、短辺（４３）の長さは、外方へ傾斜したリムシート（２１）の突出部（２２）の高さに本質的に等しい装置において、ビード（１）のシート（１１）に接触するようになった前記インサート（４）のフェース（４２）は、前記取外しインサートを前記ビードシートと前記リムとの間に導入する段階中、インサート（４）をビード（１）とリム（２）との間に係合した状態に保つようビードシート（１１）と相互作用するよう設計された少なくとも１つのレリーフ（４１０）を備えていることを特徴とする取外し装置。
【請求項２】
レリーフ（４１０）は、インサート（４）の長さの方向に延びる溝から成り、この溝は、ビードシート（１１）に接触するようになった長辺（４１）の端部（Ａ）と端部（Ｂ）との間の距離に等しい幅を有することを特徴とする請求項１記載の取外し装置。
【請求項３】
レリーフ（４１０）は、ビードシートに接触するようになった長辺（４１）の端部（Ａ）と端部（Ｂ）との間の距離よりも短い幅を有する溝から成ることを特徴とする請求項１記載の取外し装置。
【請求項４】
断面で見て、溝（４１０）は、ビードシートに接触するようになった長辺の中間部と短辺との間に設けられていることを特徴とする請求項３記載の取外し装置。
【請求項５】
溝（４１０）は、２つの突起（４４１，４１２）によって形成され、前記突起は、ビードシートＩ（１１）に接触するようになったフェースにレリーフ状態で設けられていることを特徴とする請求項３又は４記載の取外し装置。
【請求項６】
インサート（４）の端部のうち少なくとも一方は、斜切部分（５１）を有し、前記斜切部分とインサートの最大寸法方向とのなす角度は、少なくとも１０°に等しく、せいぜい７０°に等しいことを特徴とする請求項１〜５のうちいずれか一に記載の取外し装置。
【請求項７】
斜切部分（５１）の角度は、本質的に４５°に等しいことを特徴とする請求項６記載の取外し装置。
【請求項８】
ビードシートに接触するようになったフェースに設けられたレリーフは、インサート（４）の一端部から他端部まで連続していることを特徴とする請求項１〜７のうちいずれか一に記載の取外し装置。
【請求項９】
２つのインサート半部（４０１，４０２）を有する取外し装置であって、インサート半部は各々、請求項１〜８のうちいずれか一に従って構成され、これらインサート半部（４０１，４０２）は、中間部分（５）によって互いに連結され、前記中間部分は、ビードシートに接触するようになったインサート半部のフェースに対して引っ込められていることを特徴とする取外し装置。
【請求項１０】
中間部分（５）は、前記装置が装着されるリムの突出部を保護するように設計された延長部（１１）によって横方向に延長されており、補強部分（６）が、中間部分（５）と各インサート半部（４０１，４０２）との間の機械的連結を保証するよう設けられることを特徴とする請求項９記載の取外し装置。
【発明の詳細な説明】
【技術分野】
【０００１】
本発明の目的は、一方においてカーカス補強材を備えたタイヤから成り、他方において、着脱自在な支持リングから成る組立体を、特にシートのうちの少なくとも１つが外方へ傾斜した一体形リムに取り付けられるようになった組立体を作動中のリムから取り外す装置を提供することにある。
【背景技術】
【０００２】
フランス国特許第２，６９９，１２１号明細書、フランス国特許第２，７１３，５５７号明細書及びフランス国特許第２，７１３，５５８号明細書には、かかるリムの説明がある。子午面断面（即ち、回転軸線を含む平面）で見て、このリムは、２つの端部を備えた第１のシートを有し、軸方向外側端部は、このシートの軸方向内側端部よりも回転軸線に近く（かかるシートは、「外方へ傾斜している」と呼ばれている）、リムは、着脱自在な支持リングを受け入れるよう設計された幾分大きな支承領域、恐らくは、取付け溝と、第１のリムシートと同一（外方へ傾斜している）又はこれとは異なる（即ち、内方へ傾斜している）第２のリムシートとを更に有する。
【０００３】
各外方傾斜リムシートは、リムに取り付けられたタイヤの内部インフレーション圧力に起因する軸方向力のバランスを取るフランジ（上記シートの内部に軸方向に設けられている）及びタイヤ内の圧力が低く又はゼロである場合でも、タイヤのビードをシート上の定位置に保つ僅かな高さ（リムフランジの高さよりも小さい）のハンプ又は突出部を形成する部分を有している。
【０００４】
このリムは、着脱自在な支持体及び適当な子午面カーカス補強材プロフィール及びリムシートに接触するのに適した幾何学的形状のビードを備えたタイヤと一緒になって、低い圧力又はそれどころか圧力がゼロの状態で転動する際でも稼働し続けることができる転動組立体を形成する。この場合、「稼働」という用語は、リムから外れることなく（タイヤビードとリムシートとの接触が失われないで）、したがってこの種のタイヤを装備した車両の制御を失う恐れを生じさせないで、これら特定の条件下においてタイヤがそのリム上の定位置に位置したままであることを意味する。
【０００５】
欧州特許第１，１９４，３０５号明細書は、三角形断面の取外しインサートをタイヤのビードシートと外方へ傾斜したリムシートとの間に位置決めすることによりかかるタイヤ組立体を取り外す方法を記載しており、上記三角形断面の高さは、いったん定位置に配置されると、ハンプ（又は突出部）の高さに近く又はこれよりも大きい。このように、ビードは、ハンプの外部で部分的に半径方向に配置され、ビードを反対側の側部に作用する圧力ローラにより又は上記取付けインサートとタイヤビードとの間に挿入されたレバーの作用で軸方向外方に押すことができる。
【０００６】
この特許文献に記載されているように、取外しインサートの長さは、ビードをそのシートから半径方向に離隔させてこれをハンプ上に動かすことができるようにする必要性と、大きすぎるほどの一定圧力をビードとシートとの間に生じさせることによりビードを強すぎるほど拘束しないようにする必要性に同時に一致するよう選択されなければならない。その目的のため、この長さは、適当でなければならない（もし長さが長過ぎる場合、過剰の一定圧力によりタイヤ組立体を取り外すことが不可能になる場合がある）。
【発明の開示】
【発明が解決しようとする課題】
【０００７】
取外しインサートを位置決めすることは、持続した注意を必要とし、場合によっては数回の試みを必要とするデリケートな作業であることが分かった。というのは、インサートは、最初の場所では働かず、或いはその長さ全体にわたって働かない傾向があるからである。これを位置決めするため、一般に圧力ローラを用いてビードのうちの１つを軸方向内方に押し、これをそのヒール（ヒールは、リムフランジと接触状態にある内部に軸方向に位置するビードの一部である）回りに回動させて上記ビードと対応のリムシートとの間に空間を生じさせる。取外しインサートの一端部をその空間内へ導入する。次に、圧力ローラをビード上に動かすことにより、インサート全体をビードとリムシートとの間に導入するようにする。この第２の作業中、インサートは、正しく働かない場合が極めて多く、この場合、その位置決めを最初からやり直さなければならない。
本発明の装置は、この問題を解決する。
【課題を解決するための手段】
【０００８】
この目的のため、タイヤを少なくとも１つのリムが外方へ傾斜しているリムから取り外すよう設計されていて、位置決めが容易であり、しかも挿入作業全体にわたりオペレータによる労力を殆ど必要としない装置を提案する。
【０００９】
本発明の装置は、３つの主要フェースを備えた長さＬのインサートの形態をしており、インサートの横断面は、輪郭が２つの長辺及び短辺で形成された全体として三角形であり、長辺のなす角度は、リムシートと回転軸線とのなす角度に近い。２つの長辺及び短辺は、横断面を備えた主要フェースの交点に相当している。さらに、短辺の長さは、断面が外方へ傾斜したリムシートの突出部又はハンプの高さに本質的に等しい。取付けを容易にするため、ビードシートに接触するようになったインサートのフェースは、ビードシートとリムシートとの間へのインサートの位置決め段階中、インサートをビードに係合した状態に保つよう上記ビードシートと相互作用するよう設計された少なくとも１つのレリーフを備えている。
【００１０】
「レリーフ」は、インサートのフェースに形成された中空部又はそのフェースから突き出た成形物を意味するものとする。当然のことながら、中空部と突出部の組合せは、本発明の範囲に含まれる。
少なくとも１つのレリーフは、インサートのフェースに、連続的に、（即ち、インサートの一端部から他端部までほぼ延びる状態で）又は不連続に（即ち、例えば一連のレリーフをインサートの最大寸法方向に形成することにより）形成される。
【００１１】
変形例として、少なくともビードと接触状態にあるインサートのフェースは、その長さ全体に沿って設けられた溝を有する。
別の変形例として、少なくともビードと接触状態にあるインサートのフェースは、その長さの一部に沿ってのみ設けられた少なくとも１つの溝を有し、この変形例の利点は、局所的な溝が設けられ、これは、ビードを取外しインサート上で軸方向に滑らせることによりビードを抜き取った後の作業に悪影響を及ぼさないことにある。
【００１２】
好ましくは、各溝は、次の寸法、即ち、０．２〜１．０ｍｍの深さ、少なくとも２ｍｍ、せいぜい５ｍｍの幅を有する。
また、溝をビードと接触状態にあるフェースの幅の半分のところと実質的にリムシートに垂直な側方フェースとの間に長手方向に位置決めすることが好ましいことが判明した。
【００１３】
脱着機械が十分なスラスト力を及ぼすことができるローラを備えていない場合、第１のビードを取り外すために、取付けレバーを用いるのが有利である。かかる状況では、取外しインサートは、中間部品により互いに接合された２つの部分から成り、中間部品は、ビードと接触状態にある２つの部分の表面に対し引っ込められた切欠きを形成する。このオフセットにより、レバーを欧州特許第１，１９４，３０５号明細書に記載されているようにビードとリムとの間に導入することができる。本発明によれば、インサートの位置決めを容易にするために、インサートの２つの部分は各々、上記ビードと相互作用する少なくとも１つのレリーフを、ビードに接触するようになったそのフェースに備えている。
【００１４】
取外しインサートは、プラスチック材料、例えばポリエチレン、ポリウレタン又は他の幾つかの公知のプラスチック、特に例えば“ＺＹＴＥＬ（登録商標）”（６−６ポリアミド）で作られたものであるのがよい。これは又、６０〜９５の適当なショアＡスケール硬度を有するエラストマー材料で作られたものであってもよい。
【発明を実施するための最良の形態】
【００１５】
本発明は、種々の変形実施形態を示す本願に添付された図面に非限定的に示されている。
分かりやすくするために、同一又は実質的に同一の部分を示す符号が、以下に説明する図全体にわたり一貫して用いられている。
【００１６】
図１は、取付けリム２に取り付けられたタイヤのビード１の子午面断面（即ち、タイヤの回転軸線を含む平面）の部分図であり、ビードは、リムシートに接触するよう設計されたシート１１を有している。リム２は、シート２１を有し、これらシートのうち少なくとも１つは、外方へ傾斜しており（図１に示すように）、即ち、その軸方向外側の箇所の軌跡は、その軸方向最も内側の箇所の軌跡を表す円の直径よりも小さな直径の円である。この外方に傾斜したシート２１は、僅かな高さの突出部（又はハンプ）を外部に軸方向に有し、かかる突出部の機能は、タイヤを低いインフレーション圧力又はそれどころかゼロの圧力状態で用いられているときにビード１を軸方向定位置に維持することにある。この図は又、圧力が万一無くなった場合にタイヤに作用する荷重の全て又は一部を支持するよう設計された支持リング３を有している。
タイヤをそのリムから取り外すため、ビードは、タイヤのサイドウォールのうちの１つに作用するツール（図２には示されていない）によって局所的に回動するよう作られており（矢印Ｆは、図２においてその作用方向を示している）、次に、細長いウェッジ４の形状をしたインサートを位置決めし、かかるウェッジは、断面だけが図２に見える。
【００１７】
適当な長さの取外しインサート４が、ビード１とリムシート２１との間に介在して設けられている。長さが３３０ｍｍの取外しインサートが、リムシートの直径が４２０ｍｍのタイヤ用として開発された。当然のことながら、同じ長さを、他のシート直径、例えば４６０ｍｍに用いてもよい。他の長さ、即ち３８０ｍｍ及び４２０ｍｍを試験したが、好結果が得られ、長さ３８０ｍｍ及び４２０ｍｍのこれら取外しインサートを特に直径が４２０ｍｍ〜５４０ｍｍのシートに用いることができる。
【００１８】
注意事項として、取外しインサートは、２つの段階で位置決めされ、即ち、第１段階では、軸方向スラストＦを及ぼす適当なツールの作用により取外しインサートの一端部をビードとリムとの間に形成された空間内へ導入し、次に第２段階では、スラストを維持した状態でツールを円周方向に動かしてビードとシートとの間の空間を円周方向に移動させ、インサートをその長さ全体に沿って次第に導入する。
【００１９】
取外しインサートの断面は、２つの長辺（長い側部）４１，４２を備えた実質的に三角形であり、これら長辺のうちの一方４２は、リムシート２１に当接し、他方の長辺４１は、ビード１のシート１１（即ち、リムシートと接触状態にあるビードの部分）に当接し、２つの長辺は、短辺（短い側部）４３により外部で軸方向に互いに接合されている。短辺４３は、突出部２２に接触するよう設計されている。長辺４１，４２のなす角度は、軸方向（即ち、回転方向）に対するリムシートの傾斜角に近い。さらに、短辺４３の長さは、ビードが上記突出部上を通り過ぎやすくするのに適している。
【００２０】
取外しインサート４をいったん完全に位置決めすると、軸方向スラストをタイヤの他方のサイドウォール（図示せず）に局所的に及ぼして内部支持リング３の介在によりビード１を押してこれを取外しインサート４に接触させる。ビード１が取外しインサート４に対し半径方向に偏心しているので、ビード１を軸方向外方に容易に押すことができ、したがってタイヤの完全な取外しが可能になる。
【００２１】
図３Ａは、図２に示す例で用いられる取外しインサート４の拡大断面図である。図３Ａの平面では、ビード１のシート１１に接触するようになった長辺４１は、溝４１０を有し、かかる溝の幅は、上記長辺４１の端部箇所Ａ，Ｂを互いに分離する距離に一致している。直線セグメント（線分）ＡＢの長さは、一例では１１ｍｍに等しく、短辺の長さは、約５ｍｍである。断面平面で見て溝の形状は、円弧の形状である。
最大曲率（図の平面で見て箇所Ａ，Ｂを通る仮想直線に対して測定した中空部の最大深さに一致する）は好ましくは、０．２ｍｍよりも大きく、１．０ｍｍよりも小さい。
【００２２】
この中空部プロフィールは、取外しインサートの全長に沿って存在する（これは、各断面が同一又はほぼ同一の形状のものであることを意味する）。当然のことながら、溝がインサートの最大寸法方向に連続していないインサートを用いることにより技術的効果が得られる。
【００２３】
上述したばかりの取外しインサートの変形例は、上記インサートにその長さ方向に位置すると考えられる位置の関数として中空部の深さが漸変するものである。
例えば図３Ｂ又は図３Ｃに示す他の変形例では、図２の断面平面と同一の断面平面で見てビードシートに接触するようになったインサートのフェースに設けられたレリーフは、図３Ａの例の場合のように長辺４１の端部（Ａ），（Ｂ）相互間の距離全体にわたって延びておらず、局所化されている。
【００２４】
特に、図３Ｂは、ビードシートに接触するようになったフェースが平らであって、断面で見て、長辺の端部を互いに結合するセグメントＡＢの中間と短辺４３との交差部とのところのその端部Ｂとの間に局所化された溝４１０を備えている意味で興味を引く変形例を示している。この変形例が興味を引く理由は、この変形例によりビードシートと接触状態にある広い平らな表面を維持しながら容易且つ有効な位置決めが可能になるからであり、これは、抜取り段階中にビードに及ぼさなければならない軸方向スラストを減少させるという利点がある。
【００２５】
取外しインサートに形成される溝の深さは、０．５ｍｍである。最高１ｍｍまでの深さが満足の行く場合のあることが判明した。というのは、これにより、取外しインサートを効率的に位置決めできると共に繰り返し使用ができるインサートの良好な機械的な強度が保持されるからである。同じ理由で、溝の幅は、この場合、２〜５ｍｍであり、セグメントＡＢの長さは、１１ｍｍである。
【００２６】
図示の場合、図３Ｂの溝は、図の平面で見て非対称プロフィールのものであり、当然のことながら、プロフィールが対称である溝について同一の効果を達成できる。
【００２７】
図３Ｂに示す場合では、図３Ａに示す場合のように、溝は、取外しインサートに沿って最初から最後まで連続しているが、不連続溝でも同一の技術的効果が得られる。「不連続」は、一連の溝で形成される溝又はビードに接触するようになったフェースの長さ全体に沿っては延びていない溝を意味するものである。
例えば、不連続という用語は、取外しインサートの最大寸法方向の一連の溝又はインサートの長さ全体にわたっては延びていない溝を意味する。
【００２８】
図３Ｃは、取外しインサート４１の別の変形例を示しており、この取外しインサートは、ビードシートに接触するようになったそのフェースに、２つの突起４１１，４１２を備え、これら突起は、上記フェース上で突き出ており、これら突起は、これらの間の空間と一緒になって、上記ビードとリムシートとの間へのインサートの導入中、ビードシートと協働する溝４１０を形成する。突起４１１，４１２の高さは、上述の例の溝の深さに本質的に等しい。
【００２９】
この例の変形例として、各突起をインサートの最大寸法方向（この方向は、インサートをビードとリムシートとの間に挿入する方向に一致している）における一連の非連結状態の突起として作ることが考えられる。
【００３０】
図４は、ビードとリムシートとの間に挿入されるレバー又はフック形式のツールを必要とする場合に適した取外し装置の別の変形例の斜視図であり、その目的は、ビードを迅速に持ち上げ、これを軸方向に引っ張ってビードをリムの突出部上に移動させ、かくしてタイヤをそのリムから取り外すことにある。
【００３１】
この場合、取外し装置は、中間部分５によって互いに接合された２つのインサート半部４０１，４０２から成るインサート４の形態をしており、中間部分５は、レリーフを備えておらず、かかる中間部分は、上記インサートの位置決めのためにビードシートとほとんど又は全く協働しない。この中間部分５は、ビードシートに接触するよう設計されたインサート半部のフェースに対して引っ込められている。
【００３２】
インサート半部４０１，４０２は各々、インサートの位置決めを容易にするためにビードシートと協働するようになったレリーフをそれぞれ有している。この場合、インサート半部４０１，４０２は各々、上記インサート半部の最大寸法方向に細長い複数のキャビティ４２１，４２２を有しており、これらキャビティは、上記方向に且つ本質的に互いに一線をなして配列されている。
【００３３】
さらに、ビードとリムとの間へのインサート４の一端部の導入を容易にするため、上記端部が斜切部分４４を有するのが有利であり、インサート４の最大寸法Ｌ方向とのなす斜切部分の角度は、１０°〜７０°である（従来、斜切が行なわれなければ角度は９０°である）。この有利な構成は全て、図３Ａ〜図３Ｃを参照して上述したインサートに適用できる。好ましくは、斜切角度は、本質的に４５°に等しい。
【００３４】
２つのインサート半部を互いに連結する中間部分５は、リムの突出部をレバーの操作に対して保護するのに有用な横方向延長部５１を有している。中間部分５は、ビードシートと接触状態にあるインサートのフェースに対してオフセットしており、この目的は、ビードをリムから半径方向に遠ざけ、次に上記ビードをリムの突出部上で軸方向に抜き取るよう設計されたツールの端部の導入を可能にする空間を後に残すことにある。図４に示すように、この中間部分５は、２つのインサート半部相互間の機械的継手が得られるようにリムシートに接触するようになったインサートのフェース５２に設けられた補強部６を有し、この補強部は、２つのインサート半部の各々上へ延びる厚肉化領域の形態をしており、補強部６は、インサート半部４０１，４０２の各々上に位置したその端部６１，６２の近くでは厚さが規則的に変化している。
【００３５】
取外しのためのレバー又はフックの導入を容易にするため、中間部分５の縁５３は、インサート半部の長辺４１，４２が交差する縁４０に対してインサートの内部に向かってオフセットしていることが推奨される。
【００３６】
当然のことながら、本発明の例示として本明細書に記載された変形例は、本発明を限定するものとして解されてはならず、上記変形例の特徴の任意の組合せは、本発明の要部をなす。例えば、最後に記載した変形例（図４）のインサート半部は、先の変形例（図３Ａ〜図３Ｃ）のレリーフと同一のレリーフを備えてもよい。
【図面の簡単な説明】
【００３７】
【図１】本発明のインサートの位置決め前のリムシート上の定位置にあるタイヤビードの断面図である。
【図２】本発明のインサートの位置決め後におけるリムシート上の定位置にあるタイヤビードの断面図である。
【図３Ａ】図２のインサートの断面図である。
【図３Ｂ】本発明のインサートの他の一変形例を示す図である。
【図３Ｃ】本発明のインサートの別の変形例を示す図である。
【図４】着脱自在なレバーの使用と関連した本発明のインサートの別の変形例を示す図である。
【符号の説明】
【００３８】
１  ビード
２  リム
３  支持リング
４  取外しインサート
５  中間部分
１１  シート
２１  リムシート
２２  突出部
４１，４２  長辺（三角形の）又はフェース
４４  斜切部分
５１  横方向延長部
５３  縁
４０１，４０２  インサート半部
４１０  溝
４１２  突起
４２１，４２２  キャビティ
【図１】
2006015999.tif 000003
【図２】
2006015999.tif 000004
【図３Ａ】
2006015999.tif 000005
【図３Ｂ】
2006015999.tif 000006
【図３Ｃ】
2006015999.tif 000007
【図４】
2006015999.tif 000008
【外国語明細書】
2006015999.tif 000009
2006015999.tif 000010
2006015999.tif 000011
2006015999.tif 000012
2006015999.tif 000013
2006015999.tif 000014
2006015999.tif 000015
2006015999.tif 000016
2006015999.tif 000017
2006015999.tif 000018
2006015999.tif 000019
2006015999.tif 000020
2006015999.tif 000021
2006015999.tif 000022
2006015999.tif 000023